(57)【特許請求の範囲】
【請求項１】
壁パネルの背面に、一対の取付けバーをハの字形に配置して設け、各取付けバーの上端を上取付け片として壁パネルの上端より突出させると共に下端を下取付け片として壁パネルの下端より突出させることで、壁パネルの上端より上方へ突出する上取付け片と、上取付け片に対して鉛直下方位置から左右にずれる位置において壁パネルの下端より下方へ突出する下取付け片とを設け、壁下地に壁パネルを配置すると共に上取付け片を壁下地に固定することによってこの壁パネルを壁下地に取り付け、この壁パネルの上側において壁下地に他の壁パネルを配置し、下側の壁パネルと壁下地との間に上取付け片の厚みで形成される隙間に上側の壁パネルの下取付け片を差し込むと共に上側の壁パネルの上取付け片を壁下地に固定して成ることを特徴とする壁パネルの取付構造。
【請求項２】
壁パネルの背面に、一対の取付けバーをハの字形に配置して設け、各取付けバーの上端を上取付け片として壁パネルの上端より突出させると共に下端を下取付け片として壁パネルの下端より突出させることで、壁パネルの上端より上方へ突出する上取付け片を設けると共に、上取付け片に対して鉛直下方位置から左右にずれる位置において壁パネルの下端より下方へ突出する下取付け片を設けて成ることを特徴とする取付金具付き壁パネル。
【請求項３】
上取付け片と下取付け片をそれぞれ側方へ開口する断面コ字形に形成し、上取り付け片において断面コ字形の後側の片を、壁下地に固着具を打ち込むための固定片として成ることを特徴とする請求項２に記載の取付金具付き壁パネル。
【請求項４】
断面コ字形に形成される上取り付け片の前側の片に、固定片の固着具を打ち込む箇所に対応する箇所において、固着具を打ち込む治具を通すための操作用切欠を形成して成ることを特徴とする請求項３に記載の取付金具付き壁パネル。
【発明の詳細な説明】
【技術分野】
【０００１】
本発明は、壁下地への壁パネルの取付構造、及びこの取り付けに用いられる取付金具付き壁パネルに関するものである。
【背景技術】
【０００２】
家屋の外壁などを施工するにあたって、壁下地に複数枚の壁パネルを縦横に張り並べて取り付けることが行なわれる。そしてこのように壁下地に壁パネルを取り付けるにあたっては、壁パネルを通してビスを壁下地に打ち込む方法や、壁パネルを接着剤で壁下地に貼り付ける方法が広く用いられている。
【０００３】
しかし、壁パネルを通してビスを打ち込む方法では、壁パネルに欠けが発生したりするおそれがある。また壁パネルを接着剤で貼り付ける方法では、接着剤に含まれる揮発性物質による健康障害の問題があり、また接着剤の経年劣化で脱落が発生するおそれがあるという問題がある。
【０００４】
そこで、金具を用いて壁パネルを壁下地に取り付ける方法も種々提案されている。例えば特許文献１では、壁下地に縦長の受け金具をビス等で固定し、この受け金具に係合金具を取り付け、上下に配置される壁パネルのうち下側の壁パネルの上端にこの係合金具を係合させると共に、上側の壁パネルの下端をこの係合金具に係合させることによって、受け金具と係合金具で壁パネルを壁下地に取り付けるようにしている。
【特許文献１】実公平７−４８８４９号公報
【発明の開示】
【発明が解決しようとする課題】
【０００５】
しかし、上記の特許文献１のように金具を用いて壁下地に壁パネルを取り付ける場合、壁下地への受け金具の固定、受け金具への係合金具の取り付け、係合金具と壁パネルとの係合などを行なうことが必要であり、作業に手間を要するという問題があった。
【０００６】
本発明は上記の点に鑑みてなされたものであり、作業に手間を要することなく容易に壁パネルの取り付けを行なうことができる壁パネルの取付構造及び取付金具付き壁パネルを提供することを目的とするものである。
【課題を解決するための手段】
【０００７】
本発明の請求項１に係る壁パネルの取付構造は、壁パネル１の背面に、壁パネル１の上端より上方へ突出する上取付け片２と、上取付け片２に対して鉛直下方位置から左右にずれる位置において壁パネル１の下端より下方へ突出する下取付け片３とを設け、壁下地４に壁パネル１を配置すると共に上取付け片２を壁下地４に固定することによってこの壁パネル１を壁下地４に取り付け、この壁パネル１の上側において壁下地４に他の壁パネル１を配置し、下側の壁パネル１と壁下地４との間に上取付け片２の厚みで形成される隙間５に上側の壁パネル１の下取付け片３を差し込むと共に上側の壁パネル１の上取付け片２を壁下地４に固定して成ることを特徴とするものである。
【０００８】
この発明によれば、下側の壁パネル１の上取付け片２と上側の壁パネル１の下取付け片３は位置が左右にずれていて干渉し合うことなく、下側に取り付けられている壁パネル１と壁下地４との間の隙間５に下取付け片３を差し込んで、上側の壁パネル１の下端を保持することができ、このように上側の壁パネル１の下端を下側の壁パネル１で保持した状態で、上側の壁パネル１の上取り付け片２をビスなどの固着具７で壁下地４に固定することによって、この上側の壁パネル１の取り付けを行なうことができるものであり、作業に手間を要することなく容易に壁パネル１の取り付けを行なうことができるものである。そしてこの作業を下側から順に繰り返して行なうことによって、多数枚の壁パネル１を並べて壁下地４に取り付ける施工を容易に行なうことができるものである。
更に請求項１の発明は、壁パネル１の背面に一対の取付けバー６をハの字形に配置して設け、各取付けバー６の上端を上取付け片２として壁パネル１の上端より突出させると共に下端を下取付け片３として壁パネル１の下端より突出させて成ることを特徴とするものである。
この発明によれば、壁パネル１の背面に一対の取付けバー６を取り付けることによって、鉛直上下方向から左右に位置ずれした状態で上取付け片２と下取付け片３を設けることができるものであり、構造を簡単なものにすることができると共に、取付けバー６で壁パネル１を補強して、壁パネル１の強度を高めることができるものである。
また、壁パネル１の下端の下取付け片３の間隔は広くなっており、下側の壁パネル１と壁下地４の間の隙間５に下取付け片３を差し込んで上側の壁パネル１を保持するにあたって、保持が安定するものである。
【０００９】
本発明の請求項２に係る取付金具付き壁パネルは、壁パネル１の背面に、壁パネル１の上端より上方へ突出する上取付け片２を設けると共に、上取付け片２に対して鉛直下方位置から左右にずれる位置において壁パネル１の下端より下方へ突出する下取付け片２を設けて成ることを特徴とするものである。
【００１０】
このように形成される取付金具付き壁パネルを用いて、上記のような施工構造で、作業に手間を要することなく容易に壁パネル１の取り付けを行なうことができるものである。
【００１１】
更に請求項２の発明は、壁パネル１の背面に一対の取付けバー６をハの字形に配置して設け、各取付けバー６の上端を上取付け片２として壁パネル１の上端より突出させると共に下端を下取付け片３として壁パネル１の下端より突出させて成ることを特徴とするものである。
【００１２】
この発明によれば、壁パネル１の背面に一対の取付けバー６を取り付けることによって、鉛直上下方向から左右に位置ずれした状態で上取付け片２と下取付け片３を設けることができるものであり、構造を簡単なものにすることができると共に、取付けバー６で壁パネル１を補強して、壁パネル１の強度を高めることができるものである。
また、壁パネル１の下端の下取付け片３の間隔は広くなっており、下側の壁パネル１と壁下地４の間の隙間５に下取付け片３を差し込んで上側の壁パネル１を保持するにあたって、保持が安定するものである。
【００１３】
また請求項３の発明は、請求項２において、上取付け片２と下取付け片３をそれぞれ側方へ開口する断面コ字形に形成し、上取り付け片２において断面コ字形の後側の片を、壁下地４に固着具７を打ち込むための固定片８として成ることを特徴とするものである。
【００１４】
この発明によれば、上取付け片２や下取付け片３を断面コ字形に形成することによって、壁パネル１の背面からの上取付け片２や下取付け片３の突出寸法を大きく形成することができ、壁パネル１を壁下地４に取り付けた際に壁パネル１と壁下地４の間に形成される隙間５を広くして、空気が流通する通気層として形成することができるものである。
【００１５】
また請求項４の発明は、請求項３において、断面コ字形に形成される上取り付け片２の前側の片に、固定片８の固着具７を打ち込む箇所に対応する箇所において、固着具７を打ち込む治具を通すための操作用切欠９を形成して成ることを特徴とするものである。
【００１６】
この発明によれば、断面コ字形に形成される上取り付け片２の前側の片が邪魔になることなく、固定片８に固着具７を打ち込む作業を容易に行なうことができるものである。
【発明の効果】
【００１７】
本発明によれば、下側の壁パネル１の上取付け片２と上側の壁パネル１の下取付け片３は位置がずれているために干渉し合うことなく、下側に取り付けられている壁パネル１と壁下地４との間の隙間５に下取付け片３を差し込んで、上側の壁パネル１の下端を保持することができ、このように上側の壁パネル１の下端を下側の壁パネル１で保持した状態で、上側の壁パネル１の上取り付け片２をビスなどの固着具７で壁下地４に固定することによって、この上側の壁パネル１の取り付けを行なうことができるものであり、作業に手間を要することなく容易に壁パネル１の取り付けを行なうことができるものである。そしてこの作業を下側から順に繰り返して行なうことによって、多数枚の壁パネル１を並べて壁下地４に取り付ける施工を容易に行なうことができるものである。
【発明を実施するための最良の形態】
【００１８】
以下、本発明を実施するための最良の形態を説明する。
【００１９】
壁パネル１としては任意のものを用いることができるが、例えばセメント系の窯業材料を成形した窯業系パネルを用いることができる。この壁パネル１の背面には取付けバー６が固着してある。壁パネル１への取付けバー６の固着は、窯業材料で壁パネル１を成形して硬化させる際に、取付けバー６を同時に一体に接合させることによって行なうことができる。
【００２０】
取付けバー６は図５（ａ）に示すように中央片６ａとその両側の前片６ｂと後片６ｃとからなる断面コ字形の金属板で形成されるものであり、コ字形の開口が側方を向くように前片６ｂを壁パネル１の背面に接合させて固着するようにしてある。このとき、図５（ｂ）のように取付けバー６の前片６ｂの複数個所にアンカーピン１５を通して突出させてあり、窯業材料で壁パネル１を成形して取付けバー６を接合させる際に、アンカーピン１５の先端を壁パネル１内に埋入させることによって、壁パネル１に対する取付けバー６の接合強度を高めるようにしてある。
【００２１】
そして壁パネル１の背面には一対の取付けバー６を固着するようにしてある。一対の取付けバー６はコ字形の開口が外側方を向き、各取付けバー６の下部ほど壁パネル１の外側方に位置するように傾斜させて、図４のように「ハ」の字形に配置して壁パネル１の背面に固着してある。また各取付けバー６の上端部は壁パネル１の上端より上方に突出させて、上取付け片２としてあり、各取付けバー６の下端部は壁パネル１の下端より上方に突出させて、下取付け片３としてある。一対の取付けバー６は上記のように「ハ」の字形にそれぞれ傾斜して配置してあるので、上取付け片２と下取付け片３は鉛直上下方向に対応せず、左右方向にずれた位置に配置されることになる。また、このように壁パネル１の背面に上下全長に亘って一対の取付けバー６を取り付ける結果、取付けバー６で壁パネル１を補強することができ、壁パネル１の強度を高めることができるものである。
【００２２】
取付けバー６の一部である上取付け片２や下取付け片３は上記のように断面コ字形に形成されるものであり、上取付け片２や下取付け片３の後片６ｃには固定用孔１６が穿設してある。上取付け片２や下取付け片３の後片６ｃにはこのようにビス等の固着具７を通すための固定用孔１６が穿設してあるので、後片６ｃは固定片８となる。また上取付け片２や下取付け片３の前片６ｂには、固定用孔１６と対向する位置において、操作用切欠９が形成してある。
【００２３】
上記のようにして、取付金具付の壁パネル１を得ることができるものであり、この壁パネル１を外壁の胴縁など壁下地４に張り並べて取り付けるにあたっては、下側から順番に壁パネル１の取り付けを行なう。まず、最も下段に位置する壁パネル１を壁下地４の表面に配置し、そして図１（ａ）のように、壁パネル１の上端に突出する上取付け片２の固定片８に設けた固定用孔１６にビス等の固着具７を通し、固着具７を壁下地４に打ち込むことによって、上取付け片２を壁下地４に固定すると共に、壁パネル１の下端に突出する下取付け片３の固定片８に設けた固定用孔１６にビス等の固着具７を通し、固着具７を壁下地４に打ち込むことによって、下取付け片３を壁下地４に固定する。このとき、固定片８の固定用孔１６にビス等の固着具７を通して壁下地４に打ち込む作業は、ドライバー等の治具を操作用切欠９を通して行なうことができるものであり、断面コ字形に形成される上取付け片２や下取付け片３の前片６ｂが邪魔になることなく、固着具７を打ち込む作業を容易に行なうことができるものである。
【００２４】
このように最も下段の壁パネル１は上取付け片２と下取付け片３を壁下地４に固定することによって、壁下地４への取り付けを行なうことができる。同様にして図３（ａ）のように、最も下段に位置する壁パネル１を横に並べて複数枚、壁下地４に取り付ける。またこのように壁パネル１を取付けバー６の上取付け片２や下取付け片３で壁下地４の表面に取り付けると、壁パネル１の背面と壁下地４の表面の間に取付けバー６の厚寸法の広さで隙間５が図２のように形成される。
【００２５】
次に、この下段の壁パネル１の上側に他の壁パネル１を配置し、上側に配置される壁パネル１の下端に突出する下取付け片３を、下側に固定した壁パネル１と壁下地４の間の隙間５に図１（ｂ）のように上端から差し込む。このように下側の壁パネル１と壁下地４の間の隙間５に上側の壁パネル１の下取付け片３を差し込むことによって、上側の壁パネル１を壁下地４の表面に配置した状態に保持することができる。このとき、取付けバー６は「ハ」の字形に配置してあるので、壁パネル１の下端の下取付け片３の間隔は広くなっており、下側の壁パネル１と壁下地４の間の隙間５に下取付け片３を差し込んで上側の壁パネル１を保持するにあたって、保持が安定するものである。
【００２６】
この状態で、上側の壁パネル１の上端に突出する上取付け片２の固定片８に設けた固定用孔１６に固着具７を通して壁下地４に打ち込むことによって、上取付け片２を壁下地４に固定する。このとき、この上側の壁パネル１は上記のように保持されているので、作業者が壁パネル１の重量を支えながら固着具７を打ち込むような作業をする必要がなくなるものであり、固着具７を打ち込む作業が容易になるものである。そして上側の壁パネル１は、下取付け片３が下側の壁パネル１と壁下地４の間の隙間５に差し込まれて固定されていると共に、上取付け片２が固着具７で壁下地４に固定されているので、壁パネル１の上下を固定して壁下地４に取り付けることができるものである。
【００２７】
同様にして図３（ｂ）のように、壁パネル１を横に並べて複数枚、壁下地４に取り付けることによって、２段目の壁パネル１の取り付けを行なうことができるものである。そしてさらに、２段目の壁パネル１の上側に他の壁パネル１を配置して、２段目と同様にして取り付けることによって、３段目の壁パネル１を取り付けることができるものであり、さらにこれを繰り返すことによって、複数段に壁パネル１を取り付けることができるものである。
【００２８】
また、上記のように壁パネル１の背面に固着した取付けバー６の上取付け片２と下取付け片３で壁下地４の表面に壁パネル１を取り付けるにあたって、取付けバー６は断面コ字形に形成されており、取付けバー６が壁パネル１の背面から突出する寸法は大きい。従って図２に示すように、壁パネル１を壁下地４に取り付けた際に壁パネル１と壁下地４の間に取付けバー６の上取付け片２と下取付け片３によって形成される隙間５は広い空間となるものであり、この隙間５を空気が流通する通気層として形成することができ、壁パネル１の背面側において湿気が壁内にこもることを防いで、家屋の耐久性を向上することができるものである。
【００２９】
ここで、上記のように一対の取付けバー６を「ハ」の字形に壁パネル１に取り付けることによって、上取付け片２と下取付け片３は鉛直上下方向に対応せず、左右方向にずれた位置に設けられている。従って、図３（ｂ）のように下段の壁パネル１と上段の壁パネル１を上下に揃えた列で配置するにあたって、下側の壁パネル１の上取付け片２と、上側の壁パネル１の下取付け片３は左右にずれた位置になるので、壁パネル１と壁下地４の間の隙間５に上側の壁パネル１の下取付け片３を差し込む際に、上取付け片２が下取付け片３の差込みの邪魔になるような干渉が上取付け片２と下取付け片３の間で生じることがなくなり、壁パネル１の取り付けの作業が容易になるものである。また図３（ｃ）のように、下段の壁パネル１に対して上段の壁パネル１を幅方向に半分の寸法で左右にずらした千鳥配置をするにあたっても、同様に上取付け片２と下取付け片３が干渉しあうようなことなく、壁パネル１と壁下地４の間の隙間５に上側の壁パネル１の下取付け片３を差し込むことができるものである。
【００３０】
尚、上記の実施の形態では、壁パネル１の背面に一対の取付けバー６を取り付けることによって、取付けバー６の壁パネル１から突出する端部で上取付け片２と下取付け片３をそれぞれ２個ずつ設けるようにしたが、上取付け片２や下取付け片３はそれぞれ独立した部材で形成するようにしてもよく、また個数も１個や３個など、このような２個に限定されるものではない。また、上記の実施の形態では、最下段の壁パネル１を上取付け片２と下取付け片３によって壁下地４に固定するために、下取付け片３に固定用孔１６と操作用切欠９を形成するようにしたが、最下段の壁パネル１の固定が上取付け片２のみで行なうことができる場合には、下取付け片３に固定用孔１６や操作用切欠９を形成する必要はない。
【図面の簡単な説明】
【００３１】
【図１】本発明の実施の形態の一例を示すものであり、（ａ）（ｂ）はそれぞれ側面図である。
【図２】本発明の実施の形態の一例を示す平面図である。
【図３】本発明の実施の形態の一例を示すものであり、（ａ）（ｂ）（ｃ）はそれぞれ正面図である。
【図４】同上の取付金具付の壁パネルを示す斜視図である。
【図５】同上の取付けバーを示すものであり、（ａ）は斜視図、（ｂ）は平面図である。
【符号の説明】
【００３２】
１  壁パネル
２  上取付け片
３  下取付け片
４  壁下地
５  隙間
６  取付けバー
７  固着具
８  固定片
９  操作用切欠
【図１】
0005010363.tif 000002
【図２】
0005010363.tif 000003
【図３】
0005010363.tif 000004
【図４】
0005010363.tif 000005
【図５】
0005010363.tif 000006